(57)【要約】      （修正有）【課題】省スペースで、大音響増幅器の大出力と優れた音質を保有する抜き取り式小型ＡＶ総合増幅器を提供する。【解決手段】抜き取り式小型ＡＶ総合増幅器は、箱状のケース本体１０、外カバー２０を備える。ケース本体１０内部の回路板４０には、少なくともマルチチャンネルチップモジュール４１、変圧器４２、整流器４３、スピーカー防護モジュール４４、マイクエコーモジュール４５、電源ソケットを設置するため、コンピューター中の既存のサウンドカード或いは各種ソフト、ハードを組合せて操作が可能である。【選択図】図１
0003155206.tif 000002
【実用新案登録請求の範囲】
【請求項１】
ケース本体、外カバー、回路板を備え、
前記ケース本体は、長方形の箱状体で、前面板、後面板を備え、
前記前面板上には、モニター、複数のダイヤル、ソケット、マルチチャンネルスイッチ、電源スイッチを設置し、
前記後面板には、必要に応じて、複数の音源出力孔を設置し、
前記外カバーは、収容組立て空間を備え、前記ケース本体を包み、レコーダーのような大きさの構造体を構成し、コンピューターケースの組立て槽中に設置することができ、
前記回路板は、前記ケース本体内に設置し、少なくともマルチチャンネルチップモジュール、変圧器、整流器、スピーカー防護モジュール、マイクエコーモジュール、電源ソケットを設置することを特徴とする抜き取り式小型AV総合増幅器。
【請求項２】
前記外ケースは、複数の散熱孔を設置することを特徴とする請求項１に記載の抜き取り式小型AV総合増幅器。
【請求項３】
前記ケース本体の側辺には、散熱器を設置することを特徴とする請求項１に記載の抜き取り式小型AV総合増幅器。
【請求項４】
前記ケース本体、前記外ケースは共に、アルミニウム製であることを特徴とする請求項１に記載の抜き取り式小型AV総合増幅器。
【請求項５】
前記外カバーは、前記ケース本体に相対して、コの字型体を形成し、下方末端において、内向きに突出して折板を設置して、収容組立て空間を構成することを特徴とする請求項１に記載の抜き取り式小型AV総合増幅器。
【考案の詳細な説明】
【技術分野】
【０００１】
本考案は抜き取り式小型AV総合増幅器に関し、特にパーソナルコンピューターと相互に結合し、プラグアンドプレイが可能で、パーソナルコンピューターのディスクスロット内に組立てることができる抜き取り式小型AV総合増幅器に関する。
【背景技術】
【０００２】
現代人がAVを楽しむためには、基本的な配備として、影像と音声を再生するデバイス(DVDプレーヤー、カラオケプレイヤーなど)、ステレオ音声スピーカー、増幅器を購入する必要がある。
【０００３】
しかし、実際にAVを鑑賞するに当たっては、一般に市販されている簡単なサウンドデバイスの機能は充分でなく、しかも内部には基本的な回路板しかないため、現在流行している各種のデジタルファイルを読み取れないという問題があることに気がつく。すなわち、サウンドデバイスの適用性は低いと言わざるを得ない。
【０００４】
また、音声スピーカーにおいては、出力が大きければ大きいほど臨場感が高まるが、それに従い価格も上昇する。一方、スピーカーは、増幅器により駆動するが、増幅器が音楽中の旋律、及び人類が普通は聞き取れない波長の音声を拡大し、スピーカーにより発出することで、より良いサウンドエフェクトを達成している。しかし、スピーカーと増幅器に、一定程度の音質を達成させようとすれば、その体積も相対的に拡大する。そのため、複数のスピーカーボックスと増幅器では、かなりの空間を占拠してしまい、これもまた欠点である。
【０００５】
本考案人は、関連業界での長い経験から、日進月歩のIT時代においては、コンピューター或いはネットワークデバイスが、すでにほぼすべての家庭に配備されていることを理解している。コンピューターに関して言えば、非常に高い演算機能と多種のアプリケーションソフト(機能)を備え、上記したようなAVに関する問題に対処するためには充分であるにも関わらず、一般の人は高価なAV(音声)デバイス、サウンドスピーカー、増幅器を購入している。これでは、コンピューター中に具備する一部の機能を重ねて購入することで、金銭を浪費しているばかりか、室内の空間を無駄に占拠されており、非常に惜しい。
【０００６】
しかし、一般家庭では、コンピューター設備に単純で小さなスピーカーを２個接続しているだけで、コンピューターのAV再生機能を利用し、接続する小さなスピーカーにより音を発出するため、音量が小さく、出力も不十分である。これでは、映画のような臨場感は望むべくもなく、かつ、より大きなスピーカーを駆動することもできないため、コンピューターによるAV支援は突然壁にぶち当たってしまう。本考案人は、上記欠点に関して、パーソナルコンピューターに抜き差しして使用するマルチチャンネルで出力が大きい小型AV総合増幅器を開発した。これにより、コンピューターの既存のソースを使用するため、費用を低く抑えることができ、パーソナルコンピューター中に融合するため、省スペースである。
【考案の概要】
【考案が解決しようとする課題】
【０００７】
本考案が解決しようとする課題は、コンピューターと相互に結合することで、コンピューターを作業プラットフォームとし、本製品を通して、コンピューターのマザーボード内に内蔵するマルチチャンネルサウンドカードが優れた効果を発揮可能とし、ディスクレコーダーの型式及びサイズと相同の設計で、また抜き取り式構造により、コンピューターの前面板の予備スロットに設置し、随時抜き取り或いはセットすることができ、しかもそれ自体は大音響増幅器の大出力と優れた音質を保有し、さらに極めて優れた散熱設計を備えるため、一般のパワーチップが高熱を発するという欠点を解決することができる抜き取り式小型AV総合増幅器を提供することである。
【課題を解決するための手段】
【０００８】
上記課題を解決するため、本考案は下記の抜き取り式小型AV総合増幅器を提供する。
抜き取り式小型AV総合増幅器は、箱状のケース本体、外カバー、回路板を備え、
該ケース本体は、前面板、後面板を備え、
該前面板上には、モニター、複数のダイヤル、ソケット、マルチチャンネルスイッチ、電源スイッチを設置し、
該後面板には、必要に応じて、複数の音源出力孔を設置し、
該回路板は、該ケース本体内に設置し、少なくともマルチチャンネルチップモジュール、変圧器、整流器、スピーカー防護モジュール、マイクエコーモジュール、電源ソケットを設置する
該外カバーは、収容組立て空間を備え、該ケース本体を包み、レコーダーのような大きさの構造体を構成し、コンピューターケースの組立て槽中に設置することができる。
【考案の効果】
【０００９】
本考案抜き取り式小型AV総合増幅器の操作時には、AV機能をパーソナルコンピューターが分担するため、増幅器及びハードを操作する設備は、レコーダーのような大きさ構造体により、パーソナルコンピューター中に可動状態で設置する。よって、充分な機能を備える他に、省スペースで、使用の機動性が高く、従来の増幅器設計の常識をくつがえす画期的な技術である。
【図面の簡単な説明】
【００１０】
【図１】本考案一実施例の組立て図である。
【図２】本考案構造の俯瞰図である。
【図３】本考案前面板の構造図である。
【図４】本考案後面板の構造図である。
【考案を実施するための形態】
【００１１】
以下に図面を参照しながら本考案を実施するための最良の形態について詳細に説明する。
【実施例】
【００１２】
図１、２に示すように、本考案は、外枠と底板を備える長方形の箱状体であるケース本体１０、前面板１１、後面板１７を備える。図１、３に示すように、前面板１１上には、チャンネル動的表示モジュールを接続するモニター１２、複数のダイヤル１３、ソケット１４、マルチチャンネルスイッチ１５、電源スイッチ１６を設置する。図２、４に示すように、後面板１７は、必要に応じて、複数の音源出力孔１８を設置する。
【００１３】
図１に示すように、外カバー２０は、ケース本体１０に相対して、コの字型体を形成し、下方末端において、内向きに突出して折板２１を設置して、収容組立て空間２３を構成する。これにより、ケース本体１０を包み、レコーダーのような大きさの構造体を構成し、コンピューターケース３０に既存の組立て槽３１中に設置することができる。外カバー２０は、適当な位置に、複数の散熱孔２２を設置し、これを通して内部の空気は、対流を生じ、散熱を行うことができる。
【００１４】
図１、２に示すように、回路板４０は、ケース本体１０内に設置し、少なくともマルチチャンネルチップモジュール４１、変圧器４２、整流器４３、スピーカー防護モジュール４４、マイクエコーモジュール４５、電源ソケット４６を設置し、こうして小型増幅器を構成する。電源ソケット４６横には、回路保護電源切断機４７を設置し、安全性を拡大することもできる。ケース本体１０の両側には、散熱器５０、５１をそれぞれ設置し、これにより内部において回路板４０が発する熱は、拡散される。さらに、外カバー２０の複数の散熱孔２２を通して外部へと発散され、こうして、散熱の目的を達成することができる。
【００１５】
本考案のケース本体１０、外カバー２０、散熱器５０、５１はすべて、アルミニウム製を採用するため、防磁、散熱の機能を兼ね備え、コンピューターの作動に影響を及ぼすことがなく、さらに外観が美しい。本考案を操作する場合には、前面板１１の複数のダイヤル１３、マルチチャンネルスイッチ１５、電源スイッチ１６により制御するが、リモコン(図示なし)を増設して実施することもできる。但し、該技術は従来の技術に属するため、詳述しない。
【００１６】
本考案の使用に当たっては、以下のような長所を備える。
１．抜き取り式設計で、しかもパーソナルコンピューターのレコーダー組立てスロット内にセットすることができるため、設置、使用共に極めて簡単で、さらに別のスペースを占拠するということもないため、従来の増幅器に比べ、大幅な省スペースが可能である。
２．コンピューターと相互に結合するため、コンピュータープラットフォーム内の強大なソースを直接使用することができ、余計な金銭を使って不完全な機能の簡単なサウンドデバイスを購入する必要がなく、さらに、各種コンピューター内のソフトを使用して、即操作が可能である。
３．マルチチャンネルチップモジュール、変圧器、整流器、スピーカー防護モジュール、マイクエコーモジュール、電源ソケットを回路板に設置し、コンピューター内蔵のサウンドカードのインターフェースメインコントローラー或いは各種ソフト(AVソフト、カラオケソフト、或いはリクエストシステムなど)を組合せて使用可能で、こうして多機能を一台に結合することで、スペースを節減可能で、コストを低下させることもできる。
４．ケース本体、外カバー、散熱器はすべて、アルミニウム製を採用するため、防磁、散熱の機能を兼ね備え、コンピューターの作動に影響を及ぼすことがなく、操作が安定している。
【００１７】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１８】
本考案は実用新案の要件である新規性を備え、従来の同類製品に比べ十分な進歩を有し、実用性が高く、社会のニーズに合致しており、産業上の利用価値は非常に大きい。
【符号の説明】
【００１９】
１０  ケース本体
１１  前面板
１２  モニター
１３  ダイヤル
１４  ソケット
１５  マルチチャンネルスイッチ
１６  電源スイッチ
１７  後面板
１８  音源出力孔
２０  外カバー
２１  折板
２２  散熱孔
２３  収容組立て空間
３０  コンピューターケース
３１  組立て槽
４０  回路板
４１  マルチチャンネルチップモジュール
４２  変圧器
４３  整流器
４４  スピーカー防護モジュール
４５  マイクエコーモジュール
４６  電源ソケット
４７  回路保護電源切断機
５０  散熱器
５１  散熱器
【図１】
0003155206.tif 000003
【図２】
0003155206.tif 000004
【図３】
0003155206.tif 000005
【図４】
0003155206.tif 000006
【手続補正書】
【提出日】平成21年9月2日(2009.9.2)
【手続補正１】
【補正対象書類名】実用新案登録請求の範囲
【補正対象項目名】全文
【補正方法】変更
【補正の内容】
【実用新案登録請求の範囲】
【請求項１】
ケース本体、外カバー、回路板を備え、
前記ケース本体は、長方形の箱状体で、前面板、後面板を備え、
前記前面板上には、モニター、複数のダイヤル、ソケット、マルチチャンネルスイッチ、
電源スイッチを設置し、
前記後面板には、必要に応じて、複数の音源出力孔を設置し、
前記外カバーは、収容組立て空間を備え、前記ケース本体を包み、コンピューターケースの組立て槽中に設置することができ、
前記回路板は、前記ケース本体内に設置し、少なくともマルチチャンネルチップモジュール、変圧器、整流器、スピーカー防護モジュール、マイクエコーモジュール、電源ソケットを設置することを特徴とする抜き取り式小型AV総合増幅器。
【請求項２】
前記外カバーは、複数の散熱孔を設置することを特徴とする請求項１に記載の抜き取り式小型AV総合増幅器。
【請求項３】
前記ケース本体の側辺には、散熱器を設置することを特徴とする請求項１に記載の抜き取り式小型AV総合増幅器。
【請求項４】
前記ケース本体、前記外カバーは共に、アルミニウム製であることを特徴とする請求項１に記載の抜き取り式小型AV総合増幅器。
【請求項５】
前記外カバーは、前記ケース本体に相対して、コの字型体を形成し、下方末端において、内向きに突出して折板を設置して、収容組立て空間を構成することを特徴とする請求項１に記載の抜き取り式小型AV総合増幅器。